(57)【特許請求の範囲】
【請求項１】
物体側から像側へ順に、ズーミングのためには不動の正の屈折力の第１レンズ群、ズーミングに際して移動する負の屈折力の第２レンズ群、ズーミングに際して移動する正の屈折力の第３レンズ群、ズーミングに際して移動する第４レンズ群、ズーミングのためには不動の正の屈折力の第５レンズ群から構成されるズームレンズにおいて、
前記第２レンズ群は広角端から望遠端へのズーミングに際して結像倍率が−１倍となる点を通過し、前記第２レンズ群の結像倍率が−１倍となるズーム位置ｆｚにおける第３レンズ群と第４レンズ群からなる合成レンズ群の結像倍率をβ３４、広角端を基準としたときの前記ズーム位置ｆｚにおける前記第２レンズ群と前記第３レンズ群の光軸上の変位量を各々ｍ２、ｍ３としたとき、
−１＜β３４＜−０．３
４．０＜｜ｍ２／ｍ３｜＜１５
を満足し、
前記第３レンズ群は広角端から望遠端へのズーミングに際して結像倍率が−１倍となる点を通過する、
ことを特徴とするズームレンズ。
【請求項２】
広角端における前記第３レンズ群と前記第４レンズ群の合成焦点距離をｆ３４ｗ、前記ズーム位置ｆｚにおける前記第３レンズ群と前記第４レンズ群からなる合成レンズ群の焦点距離をｆ３４ｚとしたとき、
０．９５＜ｆ３４ｗ／ｆ３４ｚ＜１．５０
を満足することを特徴とする請求項１に記載のズームレンズ。
【請求項３】
前記第１レンズ群の焦点距離をｆ１、前記第２レンズ群の焦点距離をｆ２、望遠端の焦点距離をｆｔとしたとき、
１．５＜｜ｆｔ／ｆ１｜＜５．０
３．０＜｜ｆ１／ｆ２｜＜１５．０
を満足することを特徴とする請求項１又は２に記載のズームレンズ。
【請求項４】
前記第２レンズ群の広角端と望遠端における横倍率の比をβ２ｗｔ、前記第３レンズ群と前記第４レンズ群からなる合成レンズ群の広角端と望遠端における横倍率の比をβ３４ｗｔとしたとき、
２．０＜β２ｗｔ／β３４ｗｔ＜７．０
を満足することを特徴とする請求項１乃至３のいずれか１項に記載のズームレンズ。
【請求項５】
前記第４レンズ群は少なくとも１面が非球面で構成されており、該第４レンズ群の非球面は、正の屈折力の面に適用する場合、光軸から周辺に向かい正の屈折力が弱まる形状であり、負の屈折力の面に適用する場合、光軸から周辺に向かい負の屈折力が強まる形状であり、前記第３レンズ群の焦点距離をｆ３、前記第４レンズ群の焦点距離をｆ４としたとき、
０．１＜｜ｆ３／ｆ４｜＜１．０
を満足することを特徴とする請求項１乃至４のいずれか１項に記載のズームレンズ。
【請求項６】
前記第４レンズ群の非球面の有効径の１０割、９割、７割における非球面量をΔ１０、Δ９、Δ７、広角端の焦点距離をｆｗとしたとき、
１．５×１０−３＜｜Δ１０／ｆｗ｜＜２．０×１０−１
５．０×１０−４＜｜Δ９／ｆｗ｜＜１．０×１０−１
５．０×１０−５＜｜Δ７／ｆｗ｜＜３．０×１０−２
を満足することを特徴とする請求項１乃至５のいずれか１項に記載のズームレンズ。
【請求項７】
前記第４レンズ群は正の屈折力を持ち、少なくとも１枚の正レンズと１枚の負レンズを含むことを特徴とする請求項１乃至６のいずれか１項に記載のズームレンズ。
【請求項８】
物体側から像側へ順に、ズーミングのためには不動の正の屈折力の第１レンズ群、ズーミングに際して移動する負の屈折力の第２レンズ群、ズーミングに際して移動する正の屈折力の第３レンズ群、ズーミングに際して移動する第４レンズ群、ズーミングのためには不動の正の屈折力の第５レンズ群から構成されるズームレンズにおいて、
前記第２レンズ群は広角端から望遠端へのズーミングに際して結像倍率が−１倍となる点を通過し、前記第２レンズ群の結像倍率が−１倍となるズーム位置ｆｚにおける第３レンズ群と第４レンズ群からなる合成レンズ群の結像倍率をβ３４、広角端を基準としたときの前記ズーム位置ｆｚにおける前記第２レンズ群と前記第３レンズ群の光軸上の変位量を各々ｍ２、ｍ３、前記第１レンズ群の焦点距離をｆ１、前記第２レンズ群の焦点距離をｆ２、望遠端の焦点距離をｆｔとしたとき、
−１＜β３４＜−０．３
４．０＜｜ｍ２／ｍ３｜＜１５
３．０＜｜ｆｔ／ｆ１｜＜４．５
９．３＜｜ｆ１／ｆ２｜＜１３．０
を満足することを特徴とするズームレンズ。
【請求項９】
請求項１乃至８のいずれか１項に記載のズームレンズと前記ズームレンズによって形成された像を受光する固体撮像素子を有することを特徴とする撮像装置。
【発明の詳細な説明】
【技術分野】
【０００１】
本発明はズームレンズ及びそれを有する撮像装置に関し、例えば放送用テレビカメラ、ビデオカメラ、デジタルスチルカメラ、監視用カメラ、銀塩写真用カメラ等に好適なものである。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、最も物体側に正の屈折力のレンズ群を配置した５つのレンズ群より成るポジティブリード型の５群ズームレンズが知られている。
【０００３】
ポジティブリード型のズームレンズとして、負の屈折力の第２群、正の屈折力の第３群、正の屈折力の第４群の３つの可動レンズ群が、変倍と変倍に伴う像面変動補正を行う５群ズームレンズが知られている。（特許文献１〜３）。
【０００４】
特許文献１では、ズーム比１７倍程度、広角端の撮影画角７０°程度であるズームレンズが開示されている。特許文献２、３では、ズーム比５４倍程度、広角端の撮影画角６０°程度であるズームレンズが開示されている。
【先行技術文献】
【特許文献】
【０００５】
【特許文献１】特開平７−２４８４４９号公報
【特許文献２】特開２００９−１２８４９１号公報
【特許文献３】特開２００９−１２８４９２号公報
【発明の概要】
【発明が解決しようとする課題】
【０００６】
５群ズームレンズにおいて、広画角化及び高ズーム比化を維持しつつ、高い光学性能を得るには各レンズ群の屈折力配置や構成等を適切に設定することが重要である。特に変倍レンズ群としての第２、第３、第４レンズ群のズーミングの際の移動条件や第１レンズ群の屈折力等を適切に設定することが重要になってくる。この他第３、第４レンズ群の合成の屈折力、そして第３、第４レンズ群の広角端から中間のズーム位置に至る移動軌跡等を適切に設定することが重要になってくる。これらの構成を適切に設定しないと、広画角かつ高ズーム比で全ズーム範囲にわたり高い光学性能のズームレンズを得るのが難しくなってくる。
【０００７】
特許文献１〜３に開示されているズームレンズでは、所定のズーム中間位置において第２レンズ群の結像倍率が−１倍のとき、第３及び第４レンズ群からなる合成レンズ群の結像倍率が必ず−１倍となるよう、変倍レンズ群の屈折力や移動軌跡が規定されている。このようなズームレンズは、高ズーム比化を達成しようとすると、第３及び第４レンズ群の有効径が増大し、ズームに伴う諸収差の変動が増大する傾向があった。高ズーム比とは、広角端画角７５〜８５°程度のときズーム比２０〜３５倍程度、または広角端画角６０〜６７°のときズーム比８０〜１３０倍程度である。また有効径増大に伴う質量の増大により、ズーム動作の高速化やズーム操作時の素早い応答性を確保することが困難となる傾向があった。
【０００８】
本発明は広画角、高ズーム比でしかも全ズーム範囲にわたり高い光学性能を有し、良好なズーム動作を持つズームレンズ及びそれを有する撮像装置の提供を目的とする。
【課題を解決するための手段】
【０００９】
本発明のズームレンズは、物体側から像側へ順に、ズーミングのためには不動の正の屈折力の第１レンズ群、ズーミングに際して移動する負の屈折力の第２レンズ群、ズーミングに際して移動する正の屈折力の第３レンズ群、ズーミングに際して移動する第４レンズ群、ズーミングのためには不動の正の屈折力の第５レンズ群から構成されるズームレンズにおいて、前記第２レンズ群は広角端から望遠端へのズーミングに際して結像倍率が−１倍となる点を通過し、前記第２レンズ群の結像倍率が−１倍となるズーム位置ｆｚにおける第３レンズ群と第４レンズ群からなる合成レンズ群の結像倍率をβ３４、広角端を基準としたときの前記ズーム位置ｆｚにおける前記第２レンズ群と前記第３レンズ群の光軸上の変位量を各々ｍ２、ｍ３としたとき、
−１＜β３４＜−０．３
４．０＜｜ｍ２／ｍ３｜＜１５
を満足し、前記第３レンズ群は広角端から望遠端へのズーミングに際して結像倍率が−１倍となる点を通過することを特徴としている。
【発明の効果】
【００１０】
本発明によれば、広画角、高ズーム比でしかも全ズーム範囲にわたり高い光学性能を有するズームレンズ及びそれを有する撮像装置が得られる。
【図面の簡単な説明】
【００１１】
【図１】数値実施例１の広角端において無限遠物体に合焦したときのレンズ断面図
【図２】数値実施例１の広角端（Ａ）、中間のズーム位置（Ｂ）、ズーム位置ｆｚ近傍（Ｃ）、望遠端（Ｄ）で無限遠物体に合焦したときの収差図
【図３】数値実施例２の広角端において無限遠物体に合焦したときのレンズ断面図
【図４】数値実施例２の広角端（Ａ）、中間のズーム位置（Ｂ）、ズーム位置ｆｚ近傍（Ｃ）、望遠端（Ｄ）で無限遠物体に合焦したときの収差図
【図５】数値実施例３の広角端において無限遠物体に合焦したときのレンズ断面図
【図６】数値実施例３の広角端（Ａ）、中間のズーム位置（Ｂ）、ズーム位置ｆｚ近傍（Ｃ）、望遠端（Ｄ）で無限遠合焦したときの収差図
【図７】数値実施例４の広角端において無限遠物体に合焦したときのレンズ断面図
【図８】数値実施例４の広角端（Ａ）、中間のズーム位置（Ｂ）、ズーム位置ｆｚ近傍（Ｃ）、望遠端（Ｄ）で無限遠合焦したときの収差図
【図９】数値実施例５の広角端において無限遠物体に合焦したときのレンズ断面図
【図１０】数値実施例５の広角端（Ａ）、中間のズーム位置（Ｂ）、ズーム位置ｆｚ近傍（Ｃ）、望遠端（Ｄ）で無限遠合焦したときの収差図
【図１１】数値実施例６の広角端において無限遠物体に合焦したときのレンズ断面図
【図１２】数値実施例６の広角端（Ａ）、中間のズーム位置（Ｂ）、ズーム位置ｆｚ近傍（Ｃ）、望遠端（Ｄ）で無限遠合焦したときの収差図
【図１３】本発明の撮像装置の要部概略図
【図１４】本発明の実施例１〜３、５、６のズームレンズの近軸屈折力配置の概略図
【図１５】ズーム位置ｆｚにおけるＵ３とＵ４の合成レンズの概略図
【図１６】広角端、ズーム位置ｆｚ近傍、望遠端における光路図
【図１７】乗り移り式ズームレンズの近軸屈折力配置の概略図
【図１８】４群ズームレンズの近軸屈折力の概略図
【図１９】本発明の実施例４のズームレンズの近軸屈折力配置の概略図
【発明を実施するための形態】
【００１２】
以下には、本発明の実施の形態を添付の図面に基づいて詳細に説明する。
本発明のズームレンズは、物体側から像側へ順に、ズーミングのためには不動の正の屈折力の第１レンズ群Ｕ１を有する。更にズーミングに際して移動する負の屈折力の第２レンズ群Ｕ２、ズーミングに際して移動する正の屈折力の第３レンズ群Ｕ３、ズーミングに際して移動する第４レンズ群Ｕ４を有する。更にズーミングのためには不動の正の屈折力の第５レンズ群Ｕ５から構成されている。
【００１３】
ここでレンズ群がズーミングのためには不動というのは、レンズ群がズーミングを行う目的で駆動されることは無いが、ズーミングとフォーカシングとを同時に行う場合があれば、フォーカシングのために移動することはあり得るということである。
【００１４】
図１は本発明の実施例１（数値実施例１）のズームレンズの広角端（焦点距離、ｆ＝９．０ｍｍ）で無限遠物体に合焦しているときのレンズ断面図である。図２（Ａ）（Ｂ）（Ｃ）（Ｄ）はそれぞれ、数値実施例１の広角端、中間のズーム位置（焦点距離）ｆ＝９０ｍｍ、ズーム位置（焦点距離）ｆｚ近傍ｆ＝３４０ｍｍ、望遠端ｆ＝９００ｍｍにおける無限遠物体に合焦しているときの収差図である。但し、焦点距離は数値実施例の値をｍｍ単位で表したときの値、ｆｚは第２レンズ群Ｕ２の結像倍率β２が−１となるときのズーム位置である。これは以下の各実施例において全て同じである。
【００１５】
図３は本発明の実施例２（数値実施例２）のズームレンズの広角端（焦点距離、ｆ＝９．２ｍｍ）で無限遠物体に合焦しているときのレンズ断面図である。図４（Ａ）（Ｂ）（Ｃ）（Ｄ）はそれぞれ、数値実施例２の広角端、中間のズーム位置（焦点距離）ｆ＝９２ｍｍ、ズーム位置（焦点距離）ｆｚ近傍ｆ＝３００ｍｍ、望遠端ｆ＝９２０ｍｍにおける無限遠物体に合焦しているときの収差図である。
【００１６】
図５は本発明の実施例３（数値実施例３）のズームレンズの広角端（焦点距離、ｆ＝８．９ｍｍ）で無限遠物体に合焦しているときのレンズ断面図である。図６（Ａ）（Ｂ）（Ｃ）（Ｄ）はそれぞれ、数値実施例３の広角端、中間のズーム位置（焦点距離）ｆ＝９７．５ｍｍ、ズーム位置（焦点距離）ｆｚ近傍ｆ＝３００ｍｍ、望遠端ｆ＝１０６８ｍｍにおける無限遠物体に合焦しているときの収差図である。
【００１７】
図７は本発明の実施例４（数値実施例４）のズームレンズの広角端（焦点距離、ｆ＝８．６ｍｍ）で無限遠物体に合焦しているときのレンズ断面図である。図８（Ａ）（Ｂ）（Ｃ）（Ｄ）はそれぞれ、数値実施例４の広角端、中間のズーム位置（焦点距離）ｆ＝８６ｍｍ、ズーム位置（焦点距離）ｆｚ近傍ｆ＝２４５ｍｍ、望遠端ｆ＝８６０ｍｍにおける無限遠物体に合焦しているときの収差図である。
【００１８】
図９は本発明の実施例５（数値実施例５）のズームレンズの広角端（焦点距離、ｆ＝６．７５ｍｍ）で無限遠物体に合焦しているときのレンズ断面図である。図１０（Ａ）（Ｂ）（Ｃ）（Ｄ）はそれぞれ、数値実施例５の広角端、中間のズーム位置（焦点距離）ｆ＝３４．４ｍｍ、ズーム位置（焦点距離）ｆｚ近傍ｆ＝１２４ｍｍ、望遠端ｆ＝１７５．５ｍｍにおける無限遠物体に合焦しているときの収差図である。
【００１９】
図１１は本発明の実施例６（数値実施例６）のズームレンズの広角端（焦点距離、ｆ＝８．９ｍｍ）で無限遠物体に合焦しているときのレンズ断面図である。図１２（Ａ）（Ｂ）（Ｃ）（Ｄ）はそれぞれ、数値実施例６の広角端、中間のズーム位置（焦点距離）ｆ＝８４．４ｍｍ、ズーム位置（焦点距離）ｆｚ近傍ｆ＝２８０ｍｍ、望遠端ｆ＝８０１ｍｍにおける無限遠物体に合焦しているときの収差図である。
【００２０】
図１３は本発明のズームレンズの近軸屈折力配置の説明図である。図１４は本発明の実施例１〜３、５、６のズームレンズの近軸屈折力配置の概略図である。図１５はズーム位置ｆｚにおける第３レンズ群Ｕ３と第４レンズ群Ｕ４の合成レンズの概略図である。図１６は広角端、ズーム位置ｆｚ近傍、望遠端における光路図である。図１７は乗り移り式ズームレンズの近軸屈折力配置の概略図である。図１８は乗り移り条件を満足しない４群ズームレンズの近軸屈折力配置の概略図である。図１９は本発明の実施例４のズームレンズの近軸屈折力配置の概略図である。
【００２１】
各レンズ断面図において、左方が被写体（物体）側（前方）で、右方が像側（後方）である。レンズ断面図において、Ｕ１はズーミングのためには不動の正の屈折力の第１レンズ群（前玉レンズ群）である。Ｕ１ｂは第１レンズ群Ｕ１中のフォーカスレンズ群であり、無限遠物体から近距離物体へのフォーカスに際して物体側へ移動する。Ｕ１ａ又はＵ１ｃは第１レンズ群Ｕ１中のフォーカスのためには不動の固定レンズ群である。
【００２２】
Ｕ２はズーミングに際して移動する負の屈折力の第２レンズ群である。Ｕ３はズーミングに際して移動する正の屈折力の第３レンズ群である。Ｕ４はズーミングに際して移動する正又は負の屈折力の第４レンズ群である。Ｕ５はズーミングのためには不動の結像作用をする正の屈折力の第５レンズ群（リレーレンズ群）である。
各実施例のズームレンズは、第２レンズ群Ｕ２〜第４レンズ群Ｕ４の各々のレンズ間隔を変化させながら光軸上を移動することで、ズームとズームに伴う像面変動の補正を行っている。
【００２３】
これら３つのレンズ群（第２レンズ群Ｕ２〜第４レンズ群Ｕ４）でズーム系（変倍群）を構成している。ＳＰは絞り（開口絞り）である。Ｐは色分解プリズムや光学フィルタ−等であり、同図ではガラスブロックとして示している。Ｉは撮像面であり、ズームレンズで形成された像を受光し、光電変換する固体撮像素子（光電変換素子）等の撮像面に相当している。
【００２４】
収差図において、球面収差における直線と二点鎖線は各々ｅ線，ｇ線に対する収差を示す。非点収差における点線と実線は各々メリディオナル像面，サジタル像面に対する収差であり、倍率色収差はｇ線に対する収差で表している。ωは半画角、ＦｎｏはＦナンバーである。尚、以下の各実施例において変倍用のレンズ群が最も短焦点側の配置となった場合を広角端、最も長焦点側の配置となった場合を望遠端という。
【００２５】
図１４は本発明の実施例１〜３、５、６の近軸屈折力配置の概略図であり、ズーミングに際しての第２乃至第４レンズ群Ｕ２乃至Ｕ４の移動軌跡を示している。図中、上方が広角端（ＷＩＤＥ）であり、下方が望遠端（ＴＥＬＥ）である。上方から下方へ繋がる実線はズーミングに際して移動する各レンズ群の軌跡を示している。図１４では第３レンズ群Ｕ３と第４レンズ群Ｕ４は広角端（ＷＩＤＥ）にて間隔Ｌ３４を広くとり、第２レンズ群Ｕ２の結像倍率が−１倍となるズーム位置ｆｚ近傍にて間隔Ｌ３４を狭くするように移動している。図中にズーム位置ｆｚを鎖線で示す。
【００２６】
図１９は本発明の実施例４の近軸屈折力配置の概略図である。図１９では第３レンズ群Ｕ３と第４レンズ群Ｕ４は広角端（ＷＩＤＥ）にて間隔Ｌ３４を狭くし、第２レンズ群Ｕ２の結像倍率が−１倍となるズーム位置ｆｚ近傍にて間隔Ｌ３４を広くとるように移動している。
【００２７】
図１６は本発明における広角端から望遠端における光路図であり、（Ａ）は広角端、（Ｂ）はズーム位置ｆｚ近傍、（Ｃ）は望遠端である。光束として、軸上、および画面最周辺に対応する軸外の２光束を示す。図１６（Ｂ）に示すように、軸上マージナル光線は、第３及び第４レンズ群Ｕ３、Ｕ４に対しｆｚ近傍にて最も高い位置を通過する。
すなわちｆｚ近傍において、第３及び第４レンズ群Ｕ３、Ｕ４のレンズ径は決定される。
【００２８】
図１５は、本発明各実施例のズームレンズのズーム位置ｆｚにおける第３及び第４レンズ群Ｕ３、Ｕ４のレンズ径と光束の関係の概略図である。図１５において、左方が物体側であり、右方が像面側である。図１５中の矢印は第３及び第４レンズ群Ｕ３、Ｕ４の合成レンズ群Ｕ３４を示している。本発明では、Ｕ３４の位置を実線（Ａ）に対し破線（Ａ´）とすることで、レンズ径の縮小を達成している。すなわち（Ａ）の結像関係に対し、物点および像点の位置を維持し、かつ像側Ｆナンバーを維持する条件で、Ｕ３４を像側（右方）に位置させることによりＵ３４のレンズ径を縮小させる。
【００２９】
一方、第２レンズ群の結像点から合成レンズＵ３４までの距離をｓ、合成レンズＵ３４から合成レンズＵ３４の結像点までの距離をｓ´としたとき、一般に結像倍率βは次式にて示すことができる。
β＝ｓ´／ｓ                ・・・（１１）
但し、ｓは負の値を持つため、βも負の値となる。
【００３０】
このとき実線矢印（Ａ）と破線矢印（Ａ´）の各々の結像倍率β１、β２は、次式にて示すことができる。
β１＝ｓ´１／ｓ１          ・・・（１１ａ）
β２＝ｓ´２／ｓ２          ・・・（１１ｂ）
よって、図１５で示される各々の相対関係は次式となる。
｜β１｜＞｜β２｜          ・・・（１１ｃ）
即ち、破線矢印（Ａ´）のように、より像側（右方）に位置することで、Ｕ３４のレンズ径は縮小するが、結像倍率βの絶対値は小さくなる。
【００３１】
また、図１７に高ズーム比化に有利なズームレンズとして、一般に乗り移り式と呼ばれる４群ズームレンズの近軸概略図を示す。乗り移り式ズームレンズは、正の屈折力の第１レンズ群、ズーミングに際して移動する負の屈折力の第２レンズ群、ズーミングに際して移動する正の屈折力の第３レンズ群、結像用の正の屈折力の第４レンズ群より構成される。図１７において、上方が広角端（ＷＩＤＥ）であり、下方が望遠端（ＴＥＬＥ）である。第２レンズ群Ｕ２と第３レンズ群Ｕ３は上方から下方へ繋がる実線にてズーミングの際の移動する軌跡を示している。乗り移り式ズームレンズは、第２レンズ群Ｕ２の横倍率β２が−１倍のとき、第３レンズ群Ｕ３の横倍率β３が−１倍となる条件を満たす。これにより第３レンズ群Ｕ３がズーミングに際し像側（右方）から物体側（左方）へと一方向へ移動し続けられる。結果、ズーミングに際してのβ３の変化を大きくでき、高ズーム比化に有利である。
【００３２】
なお、図１８にこの条件を満たさない通常の４群ズームレンズの近軸概略図を示している。図１８に示すように、４群ズームレンズでは、一般に像点補正を行う第３レンズ群Ｕ３は、二点鎖線と破線の２つの移動軌跡を取り得る。図１７に示す乗り移り式ズームレンズは図１８の特殊な条件であり、前記条件を満たすことにより２つの移動軌跡が一点で交わり、交点にて他方の別の移動軌跡に乗り移ることを可能としている。
【００３３】
各実施例において、第２レンズ群Ｕ２はズーミングに際して結像倍率が−１倍となる点を通過する。第２レンズ群Ｕ２の結像倍率が−１倍となるズーム位置をｆｚとしたとき、第３レンズ群Ｕ３と第４レンズ群Ｕ４からなる合成レンズ群Ｕ３４の結像倍率をβ３４とする。広角端を基準としたときのズーム位置ｆｚにおける第２レンズ群Ｕ２と第３レンズ群Ｕ３の光軸上の変位量を各々ｍ２、ｍ３とする。このとき、
−１＜β３４＜−０．３          ・・・（１）
４．０＜｜ｍ２／ｍ３｜＜１５    ・・・（２）
なる条件を満足している。
【００３４】
各実施例のズームレンズは、各レンズ群の屈折力やズーミングの際の移動軌跡等を適切に設定している。ここで条件式（１）は、第２レンズ群Ｕ２の結像倍率β２が−１となるズーム位置ｆｚにおいて、第３レンズ群Ｕ３と第４レンズ群Ｕ４からなる合成レンズ群の結像倍率β３４を規定している。これにより図１５と（１１）式から示されるように、合成レンズ群Ｕ３４はより像側（右方）に位置することができる。合成レンズ群Ｕ３４が像側（右方）に位置することで、第３及び第４レンズ群のレンズ径を縮小することが容易となる。
【００３５】
条件式（１）の上限が満たされないと、第３及び第４レンズ群が担うズーム分担が小さくなり、高ズーム比化が困難となる。条件式（１）の下限が満たされないと、上述した乗り移り式ズームレンズとの差異が無くなり、第３及び第４レンズ群のレンズ径を縮小することが困難となる。
【００３６】
条件式（２）は、広角端を基準にズーム位置ｆｚにおける第２レンズ群Ｕ２と第３レンズ群Ｕ３の変位量の比を規定している。図１５に示されるように第３及び第４レンズ群Ｕ３４が像側（右方）に位置することで、レンズ径を縮小させることができる。このとき広角端からズーム位置ｆｚにおける第３レンズ群Ｕ３の変位量ｍ３は小さくなる。すると第３レンズ群Ｕ３の広角端からズーム位置ｆｚにおける横倍率の変化が小さくなるため、高ズーム比化が困難となる。そこで、代わりに第２レンズ群Ｕ２の変位量を増やすことで、レンズ全体のズーム比を維持している。つまり第２レンズ群Ｕ２のズーム分担の割合を大きくすることで、ズーム比を小さくすることなく、第３及び第４レンズ群のレンズ径を縮小することが容易となる。
【００３７】
条件式（２）の上限が満たされないと、第３レンズ群の変位量が小さくなり過ぎるため、高ズーム比化が困難となる。条件式（２）の下限が満たされないと、第３レンズ群の変位量が増え、レンズ径を縮小することが困難となる。
更に好ましくは条件式（１）〜（２）の数値範囲を次の如く設定するのが良い。
−０．９６＜β３４＜−０．５    ・・・（１ａ）
５．０＜｜ｍ２／ｍ３｜＜１３    ・・・（２ａ）
以上の各条件を満たすことにより、本発明の各実施例はズーム全域において収差補正が良好に補正された、小型、軽量なズームレンズを得ている。
【００３８】
各実施例において更に好ましくは、第３レンズ群Ｕ３又は第４レンズ群Ｕ４は広角端から望遠端へのズーミングに際して結像倍率−１倍の点を通過するのが良い。これによれば第３レンズ群Ｕ３又は第４レンズ群Ｕ４の横倍率の変化が大きくなり、高ズーム比化が容易となる。
【００３９】
２つのレンズ群の一方の焦点距離をｆａ、他方の焦点距離をｆｂ、２つのレンズ群の主点間隔をｅとしたとき、２つのレンズ群の合成焦点距離Ｆは、一般に次式で示すことができる。
１／Ｆ＝１／ｆａ＋１／ｆｂ−ｅ／（ｆａ×ｆｂ）    ・・・（１２）
よって、２つのレンズ群の主点間隔ｅの増減により、合成レンズの焦点距離を任意に変化させることが可能である。
【００４０】
各実施例において更に好ましくは、広角端における第３レンズ群Ｕ３と第４レンズ群Ｕ４の合成焦点距離をｆ３４ｗとする。前述のズーム位置ｆｚにおける第３レンズ群Ｕ３と第４レンズ群Ｕ４からなる合成レンズ群の焦点距離をｆ３４ｚとする。
このとき、
０．９５＜ｆ３４ｗ／ｆ３４ｚ＜１．５０            ・・・（３）
なる条件を満足するのが良い。
条件式（３）は第３レンズ群Ｕ３と第４レンズ群Ｕ４からなる合成レンズ群の広角端とズーム位置ｆｚにおける焦点距離の比を規定している。
【００４１】
ズーム位置ｆｚにおける焦点距離を相対的に小さくすることで、上述のβ３４が小さくなり、第３レンズ群Ｕ３と第４レンズ群Ｕ４のレンズ径の縮小が容易となる。条件式（３）の上限が満たされないと、第３レンズ群Ｕ３と第４レンズ群Ｕ４の広角端又はズーム位置ｆｚにおけるレンズ間隔が広くなり過ぎるため、レンズ全長を短くすることが困難となる。条件式（３）の下限が満たされないと、β３４が小さくならないため、レンズ径の縮小が困難となる。
更に好ましくは条件式（３）の数値範囲を次の如く設定するのが良い。
１．０６＜ｆ３４ｗ／ｆ３４ｚ＜１．３０            ・・・（３ａ）
【００４２】
各実施例において更に好ましくは、次の諸条件のうち１以上を満足するのが良い。第１レンズ群Ｕ１の焦点距離をｆ１、第２レンズ群Ｕ２の焦点距離をｆ２、望遠端の焦点距離をｆｔとする。第２レンズ群Ｕ２の広角端と望遠端における横倍率の比をβ２ｗｔ、第３レンズ群Ｕ３と第４レンズ群Ｕ４からなる合成レンズ群Ｕ３４の広角端と望遠端における合成横倍率の比をβ３４ｗｔとする。
このとき、
１．５＜｜ｆｔ／ｆ１｜＜５．０                    ・・・（４）
３．０＜｜ｆ１／ｆ２｜＜１５．０                  ・・・（５）
２．０＜β２ｗｔ／β３４ｗｔ＜７．０              ・・・（６）
なる条件のうち１以上を満足するのが良い。
【００４３】
条件式（４）は望遠端の焦点距離ｆｔと第１レンズ群Ｕ１の焦点距離ｆ１の比を規定している。条件式（４）の上限が満たされないと、第１レンズ群Ｕ１の望遠端における拡大率が大きくなり過ぎるため、望遠側の球面収差変動や軸上色収差の補正をすることが困難となる。条件式（４）の下限が満たされないと、第２乃至第４レンズ群Ｕ２乃至Ｕ４の焦点距離が短くなり易く、ズームによる収差変動の抑制が困難となる。
【００４４】
条件式（５）は第１レンズ群Ｕ１の焦点距離ｆ１と、第２レンズ群Ｕ２の焦点距離ｆ２の比を規定している。条件式（５）の上限が満たされないと、第１レンズ群Ｕ１の焦点距離が相対的に長くなるため、第１レンズ群Ｕ１のレンズ径が大きくなり、広角化が困難となる。条件式（５）の下限が満たされないと、第１レンズ群Ｕ１の焦点距離が相対的に短くなるため、望遠側の球面収差変動や軸上色収差の補正をすることが困難となる。
【００４５】
条件式（６）は第２レンズ群Ｕ２の広角端と望遠端における横倍率の比β２ｗｔと、第３レンズ群Ｕ３と第４レンズ群Ｕ４からなる合成レンズ群Ｕ３４の広角端と望遠端における合成横倍率の比β３４ｗｔの比を規定している。β２ｗｔとβ３４ｗｔの積はレンズ全系のズーム比を表すため、条件式（６）ではズーム比を担う割合を規定していると換言することができる。条件式（６）の上限が満たされないと、合成レンズＵ３４が望遠側で収差補正に寄与する割合が小さく、望遠側の軸上色収差の補正が困難となる。条件式（６）の下限が満たされないと、第２レンズ群Ｕ２のズーム分担が小さくなり、レンズ全長や第３レンズＵ３及び第４レンズＵ４のレンズ径を縮小することが困難となる。
【００４６】
各実施例において、第４レンズ群Ｕ４の少なくとも１面を非球面形状とするのが良い。非球面の形状は正の屈折力の面に適用するときには、光軸から周辺に向かい正の屈折力が弱まる形状とするのが良い。負の屈折力の面に適用するときには、光軸から周辺に向かい負の屈折力が強まる形状とするのが良い。これによればズーミングに際しての収差変動、特に広角側で球面収差、像面湾曲、コマ収差の補正が容易となり、広角化に有利である。
【００４７】
各実施例において更に好ましくは、第３レンズ群の焦点距離をｆ３、第４レンズ群の焦点距離をｆ４とする。第４レンズ群の非球面の有効径の１０割、９割、７割における非球面量をΔ１０、Δ９、Δ７、広角端の焦点距離をｆｗとする。
このとき、
０．１＜｜ｆ３／ｆ４｜＜１．０                        ・・・（７）
１．５×１０−３＜｜Δ１０／ｆｗ｜＜２．０×１０−１  ・・・（８）
５．０×１０−４＜｜Δ９／ｆｗ｜＜１．０×１０−１    ・・・（９）
５．０×１０−５＜｜Δ７／ｆｗ｜＜３．０×１０−２    ・・・（１０）
なる条件のうち１以上を満足するのが良い。ここで、非球面量とは、近軸位置の曲率に対する光軸方向における差で表すものとする
【００４８】
条件式（７）は第３レンズ群Ｕ３と第４レンズ群Ｕ４の焦点距離の比を規定している。条件式（７）の下限が満たされないと、第３レンズ群Ｕ３の焦点距離が短くなり過ぎるため、効率良くズームをすることが困難となり、レンズ全長が増大してしまう。条件式（７）の上限が満たされないと、第４レンズ群Ｕ４の焦点距離が相対的に短くなり過ぎるため、レンズ径の縮小を行うことが困難となる。
【００４９】
条件式（８）〜（１０）は第４レンズ群Ｕ１の非球面の有効径の１０割、９割、７割における非球面量を規定しており、近軸で定義される球面との形状差を示している。第４レンズ群Ｕ４の非球面は、条件式（８）〜（１０）を満足する形状とすることで、より大きな効果を得ることができる。
【００５０】
更に好ましくは条件式（４）乃至（１０）の数値範囲を次の如く設定するのが良い。
３．０＜｜ｆｔ／ｆ１｜＜４．５                      ・・・（４ａ）
９．３＜｜ｆ１／ｆ２｜＜１３．０                    ・・・（５ａ）
３．０＜β２ｗｔ／β３４ｗｔ＜６．０                ・・・（６ａ）
０．２＜｜ｆ３／ｆ４｜＜０．７                      ・・・（７ａ）
２．０×１０−３＜｜Δ１０／ｆｗ｜＜３．５×１０−２  ・・・（８ａ）
１．０×１０−３＜｜Δ９／ｆｗ｜＜２．５×１０−２    ・・・（９ａ）
１．０×１０−４＜｜Δ７／ｆｗ｜＜１．０×１０−２    ・・・（１０ａ）
各実施例において、第４レンズ群Ｕ４は、少なくとも１枚の正レンズと１枚の負レンズにて構成されるのが良い。これによればズーミングに際しての諸収差変動の抑制、特に軸上色収差および倍率色収差の補正が容易となる。
【００５１】
次に各実施例のレンズ構成の特徴について説明する。
第１実施例において、第１レンズ群Ｕ１は第１レンズ面〜第１０レンズ面に対応する。第２レンズ群Ｕ２は第１１レンズ面〜第１７レンズ面に対応する。第３レンズ群Ｕ３は第１８レンズ面〜第２４レンズ面に対応する。第４レンズ群Ｕ４は第２５レンズ面〜第２７レンズ面に対応する。
【００５２】
広角端から望遠端へのズーミングに際して、第２レンズ群Ｕ２は像側へ直線的に移動するとき、第３レンズ群Ｕ３と第４レンズ群Ｕ４はズーム中間で非直線的な軌跡を描きながら概ね像側から物体側へ移動する。
【００５３】
４つのズーム位置の中で３番目がズーム位置ｆｚの近傍（ｆ＝３４０ｍｍ）であり、第２レンズ群の結像倍率β２は−１．２５であり、−１に近い。この焦点距離にて第３及び第４レンズ群Ｕ３、Ｕ４のレンズ径を決定している。
【００５４】
第１１レンズ面、第１９レンズ面、第２７レンズ面は非球面形状である。第１１レンズ面は主に広角側の歪曲収差補正、第１９レンズ面と第２７レンズ面は広角側におけるコマ収差等の軸外収差、望遠側における球面収差の補正を行っている。
【００５５】
後述する表１に示すように数値実施例１は条件式（１）〜（１０）の何れの条件式も満足しており、１００倍の高ズーム比で広角端における撮影画角（画角）６２．９°と広画角化を達成している。且つズーム全域において諸収差を良好に補正した高い光学性能を得ている。
【００５６】
実施例２において、第１レンズ群Ｕ１は第１レンズ面〜第１０レンズ面に対応する。第２レンズ群Ｕ２は第１１レンズ面〜第１７レンズ面に対応する。第３レンズ群Ｕ３は第１８レンズ面〜第２４レンズ面に対応する。第４レンズ群Ｕ４は第２５レンズ面〜第２６レンズ面に対応する。
【００５７】
広角端から望遠端へのズーミングに際して、第２レンズ群Ｕ２は像側へ直線的に移動するとき、第３レンズ群Ｕ３はズーム中間で非直線的な軌跡を描きながら概ね像側から物体側へ移動する。第４レンズ群Ｕ４は広角側の収差変動を補正するためズーム中間で一度像側に移動し、その後非直線的な軌跡を描きながら概ね像側から物体側へ移動する。
【００５８】
４つのズーム位置の中で３番目がズーム位置ｆｚの近傍（ｆ＝３００ｍｍ）であり、第２レンズ群の結像倍率β２は−１．１２であり、−１に近い。この焦点距離にて第３及び第４レンズ群Ｕ３、Ｕ４のレンズ径を決定している。
【００５９】
第１１レンズ面、第１９レンズ面、第２６レンズ面は非球面形状である。第１１レンズ面は主に広角側の歪曲収差の補正を、第１９レンズ面と第２６レンズ面は広角側におけるコマ収差等の軸外収差、望遠側における球面収差の補正を行っている。
【００６０】
後述する表１に示すように数値実施例２は条件式（１）〜（１０）の何れの条件式も満足している。実施例２は１００倍の高ズーム比で広角端における撮影画角（画角）６１．７°と広画角化を達成している。そして、ズーム全域において諸収差を良好に補正した高い光学性能を得ている。
【００６１】
実施例３において、第１レンズ群Ｕ１は第１レンズ面〜第１０レンズ面に対応する。第２レンズ群Ｕ２は第１１レンズ面〜第１７レンズ面に対応する。第３レンズ群Ｕ３は第１８レンズ面〜第２４レンズ面に対応する。第４レンズ群Ｕ４は第２５レンズ面〜第２８レンズ面に対応する。
【００６２】
広角端から望遠端へのズーミングに際して、第２レンズ群Ｕ２は像側へ直線的に移動するとき、第３レンズ群Ｕ３はズーム中間で非直線的な軌跡を描きながら概ね像側から物体側へ移動する。第４レンズ群Ｕ４は広角側の収差変動を補正するためズーム中間で一度像側に移動する。その後非直線的な軌跡を描きながら概ね像側から物体側へ移動し、望遠端近傍で再度像側へ移動する。
【００６３】
４つのズーム位置の中で３番目がズーム位置ｆｚの近傍（ｆ＝３００ｍｍ）であり、第２レンズ群の結像倍率β２は−１．１３であり、−１に近い。この焦点距離にて第３及び第４レンズ群Ｕ３、Ｕ４のレンズ径を決定している。
【００６４】
第１１レンズ面、第１９レンズ面、第２５レンズ面は非球面形状である。第１１レンズ面は主に広角側の歪曲収差の補正を、第１９レンズ面と第２５レンズ面は広角側におけるコマ収差等の軸外収差、望遠側における球面収差の補正を行っている。
【００６５】
後述する表１に示すように数値実施例３は条件式（１）〜（１０）の何れの条件式も満足しており、１２０倍の高ズーム比で広角端における撮影画角（画角）６３．４°と広画角化を達成している。且つズーム全域において諸収差を良好に補正した高い光学性能を得ている。
【００６６】
実施例４において、第１レンズ群Ｕ１は第１レンズ面〜第１０レンズ面に対応する。第２レンズ群Ｕ２は第１１レンズ面〜第１７レンズ面に対応する。第３レンズ群Ｕ３は第１８レンズ面〜第２６レンズ面に対応する。第４レンズ群Ｕ４は第２７レンズ面〜第２９レンズ面に対応する。
【００６７】
広角端から望遠端へのズーミングに際して、第２レンズ群Ｕ２は像側へ直線的に移動するとき、第３レンズ群Ｕ３はズーム中間で非直線的な軌跡を描きながら概ね像側から物体側へ移動する。第４レンズ群Ｕ４は広角側の収差変動を補正するためズーム中間で一度物体側に移動する。その後非直線的な軌跡を描きながらズーム位置ｆｚ近傍にて像側へ移動し、望遠端近傍で再度物体側へ移動する。
【００６８】
４つのズーム位置の中で３番目がズーム位置ｆｚの近傍（ｆ＝２４５ｍｍ）であり、第２レンズ群の結像倍率β２は−１．１２であり、−１に近い。この焦点距離にて第３及び第４レンズ群Ｕ３、Ｕ４のレンズ径を決定している。
【００６９】
第１１レンズ面、第１９レンズ面、第２６レンズ面は非球面形状である。第１１レンズ面は主に広角側の歪曲収差の補正を、第１９レンズ面と第２６レンズ面は広角側におけるコマ収差等の軸外収差、望遠側における球面収差の補正を行っている。
【００７０】
後述する表１に示すように数値実施例４は条件式（１）〜（１０）の何れの条件式も満足しており、１００倍の高ズーム比で広角端における撮影画角（画角）６５．２°と広画角化を達成している。且つズーム全域において諸収差を良好に補正した高い光学性能を得ている。
【００７１】
実施例５において、第１レンズ群Ｕ１は第１レンズ面〜第１９レンズ面に対応する。第２レンズ群Ｕ２は第２０レンズ面〜第２６レンズ面に対応する。第３レンズ群Ｕ３は第２７レンズ面〜第３３レンズ面に対応する。第４レンズ群Ｕ４は第３４レンズ面〜第３５レンズ面に対応する。
【００７２】
広角端から望遠端へのズーミングに際して、第２レンズ群Ｕ２は像側へ直線的に移動するとき、第３レンズ群Ｕ３はズーム中間で非直線的な軌跡を描きながら概ね像側から物体側へ移動する。第４レンズ群Ｕ４は非直線的な軌跡を描きながら概ね像側から物体側へ移動し、望遠端近傍で像側へ移動する。
【００７３】
４つのズーム位置の中で３番目がズーム位置ｆｚの近傍（ｆ＝１２４ｍｍ）であり、第２レンズ群の結像倍率β２は−１．７３であり、−１に近い。この焦点距離にて第３及び第４レンズ群Ｕ３、Ｕ４のレンズ径を決定している。
【００７４】
第２０レンズ面、第２８レンズ面、第３４レンズ面は非球面形状である。第２０レンズ面は主に広角側の歪曲収差の補正を、第２８レンズ面と第３４レンズ面は広角側におけるコマ収差等の軸外収差、望遠側における球面収差の補正を行っている。
【００７５】
後述する表１に示すように数値実施例５は条件式（１）〜（１０）の何れの条件式も満足しており、２６倍の高ズーム比で広角端における撮影画角（画角）７８．３°と広画角化を達成している。且つズーム全域において諸収差を良好に補正した高い光学性能を得ている。
【００７６】
実施例６において、第１レンズ群Ｕ１は第１レンズ面〜第１２レンズ面に対応する。第２レンズ群Ｕ２は第１３レンズ面〜第１９レンズ面に対応する。第３レンズ群Ｕ３は第２０レンズ面〜第２３レンズ面に対応する。第４レンズ群Ｕ４は第２４レンズ面〜第３０レンズ面に対応する。
【００７７】
広角端から望遠端へのズーミングに際して、第２レンズ群Ｕ２は像側へ直線的に移動するとき、第３レンズ群Ｕ３は広角側の収差変動を補正するためズーム中間で一度像側に移動し、その後非直線的な軌跡を描きながら物体側へ移動する。第４レンズ群Ｕ４はズーム中間で非直線的な軌跡を描きながら概ね像側から物体側へ移動する。
【００７８】
４つのズーム位置の中で３番目がズーム位置ｆｚの近傍（ｆ＝２８０ｍｍ）であり、第２レンズ群の結像倍率β２は−１．０９であり、−１に近い。この焦点距離にて第３及び第４レンズ群Ｕ３、Ｕ４のレンズ径を決定している。
【００７９】
後述する表１に示すように数値実施例６は条件式（１）〜（６）の何れの条件式も満足しており、９０倍の高ズーム比で広角端における撮影画角（画角）６３．４°と広画角化を達成している。且つズーム全域において諸収差を良好に補正した高い光学性能を得ている。
【００８０】
以上のように各実施例によれば、各レンズ群の屈折力配置や変倍用の移動レンズ群の移動軌跡等を適切に規定している。これにより、高ズーム比化と広画角化を両立しつつ、諸収差を良好に補正したズームレンズを得ている。
【００８１】
図１３は実施例１〜６のズームレンズを撮影光学系として用いた撮像装置（テレビカメラシステム）の要部概略図である。図１３において１０１は実施例１〜３のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の第５レンズ群Ｒを有している。第１レンズ群Ｆは合焦用レンズ群が含まれている。
【００８２】
変倍部ＬＺは変倍のために光軸上を移動する第２レンズ群と、変倍に伴う像面変動を補正するために光軸上を移動する第３レンズ群、第４レンズ群が含まれている。ＳＰは開口絞りである。第５レンズ群Ｒは光路中より挿抜可能なレンズユニットＩＥ’、ＩＥを有している。レンズユニットＩＥ、ＩＥ’を切り替えることで、ズームレンズ１０１の全系の焦点距離範囲を変位している。１１４、１１５は各々第１レンズ群Ｆ、ズーム部ＬＺを光軸方向に駆動するヘリコイドやカム等の駆動機構である。
【００８３】
１１６〜１１８は駆動機構１１４、１１５および開口絞りＳＰを電動駆動するモータ（駆動手段）である。１１９〜１２１は、第１レンズ群Ｆやズーム部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。
【００８４】
また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
以上、本発明の好ましい実施例について説明したが、本発明はこれらの実施例に限定されないことはいうまでもなく、その要旨の範囲内で種々の変形及び変更が可能である。
【００８５】
以下に本発明の実施例１〜６に対する数値実施例１〜６を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。非球面は面番号の横に＊印を付けている。最後の３つの面はフィルタ等のガラスブロックである。各実施例と前述した条件式との対応を表１に示す。
【００８６】
非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。
【数１】
0005888932.tif 000002
【００８７】
数値実施例１
単位  ｍｍ
面データ
面番号       r        d      nd         vd       有効径
1       5434.024    6.00   1.83400    37.2      210.01
2        356.636    2.14                        202.24
3        360.442   27.02   1.43387    95.1      201.95
4       -580.457   28.08                        201.30
5        339.842   20.28   1.43387    95.1      204.28
6      -3786.156    0.25                        203.80
7        253.961   20.83   1.43387    95.1      198.55
8       2001.569    1.20                        197.27
9        216.571   12.49   1.49700    81.5      186.08
10        372.539  (可変)                        184.00
11*    -73071.610    2.20   2.00330    28.3       46.74
12         56.188    8.60                         41.64
13        -63.326    1.40   1.83400    37.2       40.46
14         62.711    8.69   1.95906    17.5       39.57
15        -66.787    1.52                         39.18
16        -51.490    1.60   1.88300    40.8       38.36
17        226.272  (可変)                         37.87
18        211.694    7.53   1.59522    67.7       65.86
19*      -243.068    0.50                         66.54
20        273.486    8.73   1.59522    67.7       67.64
21       -147.447    0.20                         67.80
22        778.098    2.50   1.84666    23.8       66.86
23        120.295    6.01   1.43875    94.9       65.94
24       1046.365  (可変)                         65.90
25        104.799    2.50   1.84666    23.8       65.87
26         76.714   11.02   1.59522    67.7       64.57
27*      -169.484  (可変)                         64.36
28(絞り)    ∞       2.37                         29.37
29        -89.031    2.00   1.81600    46.6       28.70
30         21.194   11.91   1.84666    23.8       27.51
31       -737.351    7.79                         26.36
32        -31.368    2.00   1.88300    40.8       24.44
33         32.366    8.64   1.62041    60.3       26.00
34       -234.071    6.76                         28.28
35       -130.695    6.67   1.58913    61.1       32.06
36        -28.050    9.16                         33.11
37        319.523    2.00   1.88300    40.8       32.00
38         26.268    8.59   1.51823    58.9       31.41
39        -45.531    2.03                         31.56
40        126.095    8.61   1.48749    70.2       31.72
41        -27.345    2.00   1.88300    40.8       31.55
42       -189.854    0.20                         33.06
43        218.321    9.40   1.53172    48.8       33.53
44        -30.454   10.00                         34.23
45          ∞      33.00   1.60859    46.4       60.00
46          ∞      13.20   1.51633    64.2       60.00
47          ∞      15.08                         60.00
像面        ∞   
非球面データ
第11面
K = 1.69407e+006  A 4= 7.95307e-007  A 6=-9.70819e-011  A 8= 2.85357e-013  
第19面
K =-1.45313e+001  A 4= 1.51572e-007  A 6= 2.29624e-011  A 8=-3.73351e-015  
第27面
K = 7.92880e+000  A 4= 4.02021e-007  A 6= 2.13607e-011  A 8= 1.56802e-014  
各種データ
ズーム比    100.00 
焦点距離       9.00    90.00   340.00   900.00  
Fナンバー      1.80     1.80     1.80     4.50  
半画角        31.43     3.50     0.93     0.35  
像高           5.50     5.50     5.50     5.50  
レンズ全長   649.62   649.62   649.62   649.62  
d10            2.78   160.51   196.97   206.13  
d17          263.53    90.38    48.02     2.12  
d24           37.64    13.89     2.16     9.45  
d27            3.00    42.16    59.79    89.26  
入射瞳位置   133.88   1069.84   3786.28  13226.53  
射出瞳位置   162.00    162.00    162.00    162.00  
前側主点位置 143.43   1214.97   4913.10  19639.68  
後側主点位置   6.08    -74.92   -324.92   -884.92  
各群結像倍率
β１       0.00      0.00      0.00      0.00 
β２      -0.12     -0.44     -1.25     -2.32 
β３      -0.61     -4.84     -69.67     6.50 
β４       0.48      0.16      0.01     -0.23 
β５       0.98      0.98      0.98      0.98
ズームレンズ群データ
群  始面    焦点距離  レンズ構成長  前側主点位置  後側主点位置
1    1     268.44       118.28        68.00        -19.95
2   11     -24.98        24.01         6.61         -9.08
3   18     115.10        25.47         3.39        -13.00
4   25     121.89        13.52         3.00         -5.41
5   28      39.60       146.32        54.10         14.31
単レンズデータ
レンズ  始面  焦点距離
1       1   -455.00
2       3    515.72
3       5    718.03
4       7    666.31
5       9   1010.88
6      11    -55.50
7      13    -37.35
8      14     34.42
9      16    -47.10
10      18    190.61
11      20    161.64
12      22   -166.71
13      23    308.40
14      25   -349.12
15      26     89.92
16      29    -20.70
17      30     24.27
18      32    -17.67
19      33     46.23
20      35     58.96
21      37    -32.33
22      38     33.38
23      40     46.80
24      41    -36.18
25      43     50.69
26      45      0.00
27      46      0.00
【００８８】
数値実施例２
単位 mm
面データ
面番号       r        d      nd         vd       有効径
1       5635.882    6.00   1.83400    37.2      199.24
2        353.577    2.16                        192.06
3        357.636   24.50   1.43387    95.1      191.58
4       -599.489   27.41                        190.28
5        327.800   18.20   1.43387    95.1      188.22
6      -3686.564    0.25                        187.77
7        253.142   18.22   1.43387    95.1      183.58
8       2007.948    1.20                        182.40
9        210.029   12.50   1.49700    81.5      173.10
10        361.355  (可変)                        170.49
11*      2062.075    2.20   2.00330    28.3       49.48
12         59.879    8.87                         44.29
13        -70.845    1.40   1.83400    37.2       43.12
14         75.853    8.78   1.95906    17.5       42.08
15        -68.537    1.63                         41.66
16        -53.210    1.60   1.88300    40.8       40.65
17        225.336  (可変)                         40.03
18        144.669    9.06   1.59522    67.7       72.44
19*      -377.267    0.50                         72.95
20        146.629   12.13   1.59522    67.7       74.36
21       -171.984    0.20                         74.16
22        170.682    2.50   1.84666    23.8       71.19
23         69.148   13.56   1.43875    94.9       68.12
24       -243.284  (可変)                         67.68
25        182.392    5.42   1.49700    81.5       64.48
26*     -3965.680  (可変)                         63.49
27(絞り)    ∞       2.83                         27.64
28        -57.507    2.00   1.81600    46.6       26.87
29         26.658    5.40   1.84666    23.8       26.19
30       -232.315   12.46                         26.00
31        -31.306    3.10   1.88300    40.8       22.62
32         61.401    5.00                         23.91
33       -562.689    8.09   1.58913    61.1       26.91
34        -23.800    4.29                         28.67
35        260.887    2.00   1.88300    40.8       28.37
36         24.088    7.51   1.51823    58.9       27.96
37        -40.977    2.00                         28.11
38        230.094    7.04   1.48749    70.2       28.33
39        -24.102    2.00   1.88300    40.8       28.31
40       -109.299    0.20                         30.32
41        239.781    7.61   1.53172    48.8       31.17
42        -27.214   10.00                         31.69
43          ∞      33.00   1.60859    46.4       60.00
44          ∞      13.20   1.51633    64.2       60.00
45          ∞       9.89                         60.00
像面        ∞   
非球面データ
第11面
K =-1.55231e+004  A 4= 8.79933e-007  A 6=-3.86133e-010  A 8= 4.36989e-013  
第19面
K =-1.16078e+002  A 4= 1.69044e-007  A 6= 7.45097e-011  A 8=-1.00747e-014  
第26面
K =-3.57452e+002  A 4=-8.80238e-009  A 6= 6.35532e-011  A 8=-2.44548e-014  
各種データ
ズーム比    100.00 
焦点距離       9.20    92.00   300.00   920.00  
Fナンバー      1.80     1.80     1.80     5.00  
半画角        30.87     3.42     1.05     0.34  
像高           5.50     5.50     5.50     5.50  
レンズ全長   617.62   617.62   617.62   617.62  
d10            2.74   152.49   187.66   200.52  
d17          280.97    99.09    54.61     1.99  
d24           15.00    19.77     1.84    30.24  
d26            3.00    30.36    57.60    68.97  
入射瞳位置   131.16   975.88   3036.42  13648.13  
射出瞳位置   193.85   193.85    193.85    193.85  
前側主点位置 140.82  1113.89   3825.64  19169.03  
後側主点位置   0.69   -82.11   -290.11   -910.11  
各群結像倍率
β１       0.00      0.00      0.00      0.00 
β２      -0.13     -0.46     -1.12     -2.36 
β３      -0.29     -0.92     -1.37     -2.09 
β４       0.85      0.77      0.69      0.66 
β５       1.07      1.07      1.07      1.07
ズームレンズ群データ
群  始面    焦点距離  レンズ構成長  前側主点位置  後側主点位置
1    1     264.54       110.43        64.24        -18.24
2   11     -27.26        24.48         6.99         -9.11
3   18      74.67        37.95         7.71        -17.81
4   25     349.98         5.42         0.16         -3.46
5   27      39.23       127.73        50.08         12.77
単レンズデータ
レンズ  始面  焦点距離
1       1   -449.70
2       3    519.02
3       5    693.05
4       7    663.86
5       9    979.28
6      11    -60.99
7      13    -43.46
8      14     38.19
9      16    -48.34
10      18    176.21
11      20    134.42
12      22   -137.51
13      23    124.06
14      25    349.98
15      28    -21.97
16      29     28.24
17      31    -22.98
18      33     41.79
19      35    -30.00
20      36     30.35
21      38     45.01
22      39    -35.20
23      41     46.20
24      43      0.00
25      44      0.00
【００８９】
数値実施例３
単位 mm
面データ
面番号       r        d      nd         vd       有効径
1       6797.000    6.00   1.83400    37.2      201.25
2        340.555    2.17                        194.29
3        344.606   27.03   1.43387    95.1      195.03
4       -526.417   25.45                        195.61
5        317.115   18.91   1.43387    95.1      198.52
6      22370.550    0.25                        198.01
7        252.030   19.58   1.43387    95.1      193.67
8       1642.450    1.20                        192.44
9        210.802   14.00   1.49700    81.5      182.27
10        441.444  (可変)                        180.52
11*     -7064.012    2.20   2.00330    28.3       46.42
12         53.987    8.06                         41.27
13        -77.058    1.40   1.83481    42.7       40.18
14         50.599    7.76   1.95906    17.5       38.94
15       -104.714    1.72                         38.52
16        -65.387    1.60   1.88300    40.8       37.93
17        176.819  (可変)                         37.36
18        211.530    8.67   1.61800    63.3       73.58
19*      -207.030    0.50                         74.11
20        182.486    9.64   1.59201    67.0       75.37
21       -204.977    0.20                         75.26
22        183.204    2.50   1.80518    25.4       72.98
23         67.775   12.64   1.43875    94.9       69.96
24          ∞     (可変)                         69.53
25*       146.281    3.50   1.73800    32.3       68.24
26         90.207    0.18                         66.36
27         89.841    9.07   1.65160    58.5       66.36
28       -474.371  (可変)                         65.89
29(絞り)    ∞       2.59                         29.59
30        -78.875    1.80   1.81600    46.6       28.80
31         28.184    5.34   1.80809    22.8       27.78
32        621.407    5.00                         27.51
33        -30.072    4.00   1.81600    46.6       27.13
34         51.831   14.31   1.54814    45.8       30.19
35        -28.821   29.22                         33.55
36       -340.356   13.14   1.48749    70.2       34.79
37        -39.135    0.20                         35.33
38        -93.018    3.80   1.83400    37.2       34.07
39         47.442    7.03   1.48749    70.2       33.56
40        -54.654    4.37                         33.70
41      -3347.516    9.43   1.51742    52.4       32.56
42        -31.015    1.54   1.88300    40.8       32.04
43        -79.335    0.94                         32.68
44         68.150    5.02   1.51742    52.4       33.03
45        -82.110   15.00                         32.88
46          ∞      33.00   1.60859    46.4       60.00
47          ∞      13.20   1.51633    64.2       60.00
48          ∞      10.00                         60.00
像面        ∞   
非球面データ
第11面
K =-2.36774e+005  A 4= 5.62251e-007  A 6= 1.21054e-010  A 8=-1.11890e-013  
第19面
K =-2.02204e+001  A 4=-4.61496e-008  A 6= 4.15741e-011  A 8=-2.11496e-015  
第25面
K = 3.71110e+000  A 4=-1.10320e-007  A 6=-4.77366e-011  A 8= 5.69740e-015  
各種データ
ズーム比    120.00 
焦点距離       8.90    97.50   300.00  1068.00  
Fナンバー      1.80     1.80     1.80     5.50  
半画角        31.72     3.23     1.05     0.30  
像高           5.50     5.50     5.50     5.50  
レンズ全長   669.52   669.52   669.52   669.52  
d10            2.77   157.24   184.04   197.68  
d17          280.86   104.37    62.65     2.00  
d24           19.22     5.43     2.03    38.20  
d28            3.50    39.30    57.63    68.47  
入射瞳位置   129.67   1149.02  3153.69  17257.92  
射出瞳位置   133.28    133.28   133.28    133.28  
前側主点位置 139.21   1323.64  4183.73  27578.10  
後側主点位置   1.10    -87.50  -290.00  -1058.00  
各群結像倍率
β１       0.00      0.00      0.00      0.00 
β２      -0.12     -0.50     -1.13     -3.10 
β３      -0.40     -1.47     -2.56     -3.95 
β４       0.67      0.47      0.37      0.32 
β５       1.08      1.08      1.08      1.08
ズームレンズ群データ
群  始面    焦点距離  レンズ構成長  前側主点位置  後側主点位置
1    1     255.48       114.58        65.47        -19.09
2   11     -24.37        22.73         6.48         -8.41
3   18      91.75        34.16         4.55        -17.75
4   25     182.76        12.75         1.83         -5.91
5   29      37.03       168.94        53.49         12.97
単レンズデータ
レンズ   始面  焦点距離
1       1   -427.33
2       3    483.37
3       5    739.36
4       7    681.55
5       9    793.42
6      11    -52.95
7      13    -36.20
8      14     35.99
9      16    -53.58
10      18    170.01
11      20    164.01
12      22   -133.67
13      23    154.08
14      25   -325.20
15      27    116.19
16      30    -25.13
17      31     36.02
18      33    -22.70
19      34     35.88
20      36     89.12
21      38    -36.98
22      39     53.12
23      41     60.17
24      42    -58.21
25      44     72.48
26      46      0.00
27      47      0.00
【００９０】
数値実施例４
単位 mm
面データ
面番号       r        d      nd         vd       有効径
1      14862.426    6.00   1.83400    37.2      200.64
2        360.176    2.00                        195.64
3        365.401   23.00   1.43387    95.1      196.29
4       -728.207   23.80                        196.79
5        375.424   24.00   1.43387    95.1      201.35
6       -754.873    0.10                        201.01
7        238.485   18.30   1.43387    95.1      194.39
8        970.213    1.52                        193.41
9        181.117   15.40   1.49700    81.5      183.14
10        321.998  (可変)                        180.68
11*     -7391.657    2.20   2.00330    28.3       46.02
12         40.210   10.00                         39.72
13        -44.101    1.45   1.81600    46.6       39.70
14         94.677    7.70   1.95906    17.5       41.03
15        -85.559    2.00                         41.35
16        -73.581    2.00   1.69680    55.5       40.90
17       -167.025  (可変)                         41.20
18         64.413   13.50   1.43875    94.9       72.95
19*      -307.443    0.10                         72.87
20         91.735   11.00   1.49700    81.5       70.98
21      -1379.780    0.10                         69.56
22        300.742    2.00   1.84666    23.8       67.90
23         96.025   10.95   1.43875    94.9       65.24
24       -207.750    0.50                         64.17
25        199.118    5.48   1.49700    81.5       60.24
26*     -2160.563  (可変)                         57.72
27        340.647    1.40   1.77250    49.6       41.24
28         75.066    4.00   1.80809    22.8       39.74
29        103.655  (可変)                         38.39
30(絞り)    ∞       5.00                         26.44
31        -94.008    1.40   1.88300    40.8       24.41
32         61.994    4.67   1.80809    22.8       24.00
33       -106.735    2.00                         23.68
34        -89.203    1.40   1.88300    40.8       22.93
35        489.134    8.95                         22.74
36       -253.259    1.50   1.72916    54.7       21.78
37         21.603    4.77   1.80518    25.4       21.65
38         68.704    4.21                         21.44
39        -32.718    1.80   1.72000    43.7       21.62
40         34.031    7.71   1.58267    46.4       23.68
41        -50.695    7.00                         25.52
42         64.533    6.33   1.51823    58.9       30.03
43        -44.497    0.22                         30.24
44        105.071    1.50   1.83400    37.2       29.86
45         28.056    7.23   1.51633    64.1       29.20
46       -233.823    0.71                         29.41
47       2330.568    7.29   1.48749    70.2       29.48
48        -28.393    1.50   1.85026    32.3       29.57
49        -65.537    0.20                         30.57
50         76.994    6.04   1.48749    70.2       30.84
51        -59.836    8.00                         30.63
52          ∞      33.00   1.60859    46.4       50.00
53          ∞      13.20   1.51633    64.2       50.00
54          ∞      10.00                         50.00
像面        ∞   
非球面データ
第11面
K = 7.23170e+004  A 4= 6.36458e-007  A 6= 2.27879e-010  A 8=-1.52413e-012  A10= 2.97068e-015  A12=-2.21757e-018  
第19面
K = 0.00000e+000  A 4= 4.65119e-007  A 6=-1.77056e-010  A 8= 1.06615e-013  A10=-2.72972e-017  A12= 2.29044e-021  
第26面
K = 0.00000e+000  A 4= 1.26646e-006  A 6= 7.92006e-010  A 8=-4.52799e-013  A10= 3.38746e-016  A12= 6.19534e-020  
各種データ
ズーム比    100.00 
焦点距離       8.60    86.00   245.00   860.00  
Fナンバー      1.85     1.85     1.85     4.40  
半画角        32.60     3.66     1.29     0.37  
像高           5.50     5.50     5.50     5.50  
レンズ全長   630.68   630.68   630.68   630.68  
d10            1.80   152.24   176.62   187.80  
d17          284.16   112.21    69.09     8.41  
d26            5.00    22.52    24.27    35.95  
d29            5.60     9.58    26.58    64.40  
入射瞳位置   125.65   1086.66   2689.37  13880.02  
射出瞳位置   120.51    120.51    120.51    120.51  
前側主点位置 134.92   1239.58   3477.52  21432.44  
後側主点位置   1.40    -76.00   -235.00   -850.00  
各群結像倍率
β１       0.00      0.00      0.00      0.00 
β２      -0.13     -0.55     -1.12     -2.12 
β３      -0.23     -0.54     -0.72     -1.17 
β４       1.30      1.32      1.41      1.60 
β５       0.87      0.87      0.87      0.87
ズームレンズ群データ
群  始面    焦点距離  レンズ構成長  前側主点位置  後側主点位置
1    1     250.00       114.12        63.45        -20.00
2   11     -26.50        25.35         3.20        -15.51
3   18      63.00        43.63        10.33        -21.38
4   27    -200.00         5.40         4.62          1.60
5   30      35.36       130.63        46.04          5.43
単レンズデータ
レンズ  始面  焦点距離
1       1   -439.87
2       3    562.98
3       5    580.17
4       7    721.52
5       9    801.35
6      11    -39.52
7      13    -36.51
8      14     47.24
9      16   -189.61
10      18    122.43
11      20    173.00
12      22   -165.73
13      23    150.96
14      25    366.05
15      27   -124.33
16      28    313.63
17      31    -41.89
18      32     48.64
19      34    -84.85
20      36    -27.12
21      37     37.09
22      39    -22.78
23      40     35.98
24      42     51.64
25      44    -46.01
26      45     48.80
27      47     57.40
28      48    -59.60
29      50     69.85
30      52      0.00
31      53      0.00
【００９１】
数値実施例５
単位 mm
面データ
面番号       r        d      nd         vd       有効径
1        471.855    5.35   1.77250    49.6      173.24
2         99.620   47.64                        144.21
3       -183.975    4.40   1.69680    55.5      143.38
4        730.786    0.11                        146.46
5        245.637   11.66   1.80518    25.4      149.55
6       1289.588    6.40                        149.36
7      36367.010   20.44   1.43387    95.1      149.10
8       -168.462    0.10                        148.97
9      -1829.623    4.20   1.72047    34.7      140.19
10        250.407   16.27   1.49700    81.5      136.09
11       -535.747   28.96                        135.50
12        631.782   20.62   1.43387    95.1      140.94
13       -200.586    1.60                        141.76
14        170.462    4.30   1.75520    27.5      141.53
15        114.039    0.92                        136.95
16        117.705   28.28   1.49700    81.5      136.98
17      -1555.593    0.33                        136.08
18        163.101   13.67   1.62041    60.3      130.97
19        748.250  (可変)                        129.51
20*       285.940    2.50   1.77250    49.6       56.88
21         53.705    2.79                         50.12
22         52.131   10.85   1.80809    22.8       48.03
23        -99.672    1.50   1.75500    52.3       45.87
24         38.854    8.99                         37.00
25        -47.801    1.50   1.88300    40.8       36.33
26       -501.946  (可変)                         36.23
27         87.595    7.24   1.59282    68.6       45.05
28*      -137.922    0.10                         45.20
29         90.273    7.81   1.43875    94.9       44.88
30        -97.250    0.50                         44.39
31        -86.513    1.90   1.84666    23.8       44.29
32      -2465.404    4.84   1.43875    94.9       44.19
33        -90.032  (可変)                         44.12
34*       285.457    5.35   1.59282    68.6       39.33
35       -101.752  (可変)                         38.74
36(絞り)    ∞       2.67                         26.48
37        -64.259    1.50   1.69680    55.5       25.68
38         21.051    5.23   1.80809    22.8       24.63
39         44.899    5.79                         23.96
40        -64.846    1.50   1.77250    49.6       24.04
41         31.286   11.44   1.60342    38.0       24.97
42        -28.116    0.20                         26.61
43        -30.113    1.60   1.81600    46.6       26.53
44         72.890   14.06   1.59551    39.2       28.63
45        -46.529    5.45                         33.02
46       7364.164    5.74   1.53172    48.8       35.43
47        -69.758    0.20                         36.04
48        252.725    2.00   1.88300    40.8       36.03
49         39.210    9.70   1.49700    81.5       35.64
50        -86.937    0.81                         36.27
51         89.526    7.70   1.49700    81.5       36.55
52        -55.768    2.00   1.76182    26.5       36.28
53       -451.745    0.20                         36.39
54        103.791    7.86   1.48749    70.2       36.34
55        -49.821   13.04                         35.97
56          ∞      33.00   1.60859    46.4       60.00
57          ∞      13.20   1.51633    64.2       60.00
58          ∞      11.76                         60.00
像面        ∞   
非球面データ
第20面
K =-1.14700e+002  A 4= 7.66246e-007  A 6=-2.51953e-010  A 8=-4.59574e-015  
第28面
K =-2.23854e+000  A 4= 6.41572e-007  A 6=-7.95589e-011  A 8= 1.18571e-014  
第34面
K =-2.52612e+001  A 4=-6.58605e-007  A 6=-4.00191e-010  A 8= 2.40984e-013  
各種データ
ズーム比     26.00 
焦点距離       6.75    34.40   124.00   175.50  
Fナンバー      1.65     1.65     1.65     2.30  
半画角        39.17     9.08     2.54     1.79  
像高           5.50     5.50     5.50     5.50  
レンズ全長   589.68   589.68   589.68   589.68  
d19            2.03    79.49   109.66   114.14  
d26          156.65    66.80    17.86     1.25  
d33            1.23     0.50    16.34    33.63  
d35            2.00    15.12    18.06    12.88  
入射瞳位置   105.97   226.21   555.78   823.73  
射出瞳位置   147.91   147.91   147.91   147.91  
前側主点位置 113.05   269.30   792.71  1225.45  
後側主点位置   5.01   -22.64  -112.24  -163.74  
各群結像倍率
β１       0.00      0.00      0.00      0.00 
β２      -0.24     -0.63     -1.73     -2.33 
β３      -0.48     -1.12     -1.55     -1.50 
β４       0.61      0.50      0.48      0.52 
β５       0.93      0.93      0.93      0.93
ズームレンズ群データ
群  始面    焦点距離  レンズ構成長  前側主点位置  後側主点位置
1    1     103.59       215.24       126.40         68.69
2   20     -29.96        28.13        15.33         -4.68
3   27      65.68        22.39         3.86        -11.55
4   34     126.75         5.35         2.49         -0.89
5   36      33.63       144.90        44.42          9.45
単レンズデータ
レンズ  始面  焦点距離
1       1   -163.72
2       3   -209.61
3       5    371.53
4       7    385.59
5       9   -303.39
6      10    344.73
7      12    352.68
8      14   -467.75
9      16    220.77
10      18    331.87
11      20    -85.59
12      22     43.32
13      23    -36.69
14      25    -59.58
15      27     91.14
16      29    107.81
17      31   -104.90
18      32    212.31
19      34    126.75
20      37    -22.50
21      38     44.19
22      40    -27.00
23      41     26.30
24      43    -25.80
25      44     49.59
26      46    129.37
27      48    -52.49
28      49     55.64
29      51     70.18
30      52    -82.96
31      54     69.99
32      56      0.00
33      57      0.00
【００９２】
数値実施例６
単位 mm
面データ
面番号       r        d      nd         vd       有効径
1      -3840.481    6.00   1.83400    37.2      214.23
2        403.672    9.90                        207.67
3        415.242   19.09   1.43387    95.1      206.46
4      -1953.416    0.25                        205.64
5       1333.417   17.20   1.43387    95.1      203.10
6       -532.556   23.59                        202.31
7        336.794   17.32   1.43387    95.1      189.76
8      -7293.946    0.25                        188.14
9        321.377   13.62   1.43387    95.1      179.39
10       1876.335    1.20                        178.28
11        168.023   13.66   1.43875    94.9      167.50
12        308.623  (可変)                        165.69
13        352.111    2.00   1.88300    40.8       44.88
14         39.732    8.41                         39.03
15        -83.784    1.90   1.81600    46.6       38.23
16        470.490    4.68                         37.54
17        -87.160    1.90   1.88300    40.8       37.04
18         61.850    6.12   1.95906    17.5       37.67
19       -273.326  (可変)                         37.82
20       -537.165   11.28   1.49700    81.5       68.71
21        -74.300    2.08                         70.21
22        -64.637    4.00   1.77250    49.6       70.27
23        -79.529  (可変)                         73.51
24        118.208   12.96   1.59522    67.7       78.60
25       -300.411    0.30                         78.27
26         97.316    2.50   1.80518    25.4       75.09
27         54.065   14.26   1.43875    94.9       70.72
28        250.000    1.38                         69.77
29        140.179    6.88   1.59522    67.7       68.93
30          ∞     (可変)                         68.02
31(絞り)    ∞       3.97                         36.56
32       -173.665    1.80   1.81600    46.6       34.78
33         48.520    6.63   1.80809    22.8       33.58
34        422.190   15.13                         32.75
35        -30.242    4.00   1.81600    46.6       29.21
36         79.081   15.65   1.54814    45.8       32.23
37        -29.911   27.65                         35.91
38        -90.581    7.39   1.48749    70.2       33.56
39        -50.701    6.07                         34.01
40        208.408    4.00   1.83400    37.2       31.67
41         30.988    6.02   1.48749    70.2       30.19
42       -192.836    0.67                         30.20
43        462.304    6.74   1.51742    52.4       30.10
44        -25.188    4.00   1.88300    40.8       30.00
45        -79.447    0.40                         31.69
46        123.454    5.91   1.51742    52.4       31.91
47        -40.390   15.00                         31.84
48          ∞      33.00   1.60859    46.4       60.00
49          ∞      13.20   1.51633    64.2       60.00
50          ∞       9.98                         60.00
像面        ∞   
各種データ
ズーム比     90.00 
焦点距離       8.90    84.40   280.00   801.00  
Fナンバー      1.85     1.85     1.85     4.50  
半画角        31.72     3.73     1.13     0.39  
像高           5.50     5.50     5.50     5.50  
レンズ全長   684.45   684.45   684.45   684.45  
d12            2.63   153.54   180.90   192.28  
d19          269.77   108.90    56.95     4.80  
d23           19.12     1.72     2.06     9.31  
d30            3.00    30.37    54.62    88.14  
入射瞳位置   131.20   1011.46  2579.58  8438.66  
射出瞳位置   129.62    129.62   129.62   129.62  
前側主点位置 140.76   1155.40  3514.87 14602.36  
後側主点位置   1.08    -74.42  -270.02  -791.02  
各群結像倍率
β１       0.00      0.00      0.00      0.00 
β２      -0.13     -0.50     -1.09     -2.16 
β３      -4.68      2.86      2.05      1.72 
β４       0.06     -0.23     -0.49     -0.84 
β５       1.03      1.03      1.03      1.03
ズームレンズ群データ
群  始面    焦点距離    レンズ構成長  前側主点位置  後側主点位置
1    1     248.81       122.07        74.99        -14.54
2   13     -25.22        25.02         5.10        -13.60
3   20     268.45        17.36        14.10          2.32
4   24      94.47        38.28         7.00        -19.18
5   31      43.17       177.21        67.98         11.30
単レンズデータ
レンズ  始面  焦点距離
1       1   -434.92
2       3    789.24
3       5    877.39
4       7    740.64
5       9    889.21
6      11    814.33
7      13    -50.58
8      15    -86.58
9      17    -40.49
10      18     52.37
11      20    171.60
12      22   -503.87
13      24    143.68
14      26   -153.67
15      27    153.42
16      29    234.68
17      32    -46.07
18      33     66.61
19      35    -26.24
20      36     41.51
21      38    221.93
22      40    -43.82
23      41     55.07
24      43     46.18
25      44    -43.02
26      46     59.28
27      48      0.00
28      49      0.00
【００９３】
【表１】
0005888932.tif 000003
【符号の説明】
【００９４】
Ｕ１  第１レンズ群、Ｕ２  第２レンズ群、Ｕ３  第３レンズ群、Ｕ４  第４レンズ群、Ｕ５  第５レンズ群
【図１】
0005888932.tif 000004
【図２】
0005888932.tif 000005
【図３】
0005888932.tif 000006
【図４】
0005888932.tif 000007
【図５】
0005888932.tif 000008
【図６】
0005888932.tif 000009
【図７】
0005888932.tif 000010
【図８】
0005888932.tif 000011
【図９】
0005888932.tif 000012
【図１０】
0005888932.tif 000013
【図１１】
0005888932.tif 000014
【図１２】
0005888932.tif 000015
【図１３】
0005888932.tif 000016
【図１４】
0005888932.tif 000017
【図１５】
0005888932.tif 000018
【図１６】
0005888932.tif 000019
【図１７】
0005888932.tif 000020
【図１８】
0005888932.tif 000021
【図１９】
0005888932.tif 000022